(57)【要約】【課題】直線状に配列された複数のＬＥＤが同時に点灯された場合に、照明対象を照明する直線状の光にリップルが現れることを抑制できる照明装置、及び、当該照明装置を備えた画像読取装置を提供すること。【解決手段】例えば主走査方向に沿ってそれぞれ１列に配列されている複数の第１ＬＥＤ１８及び第２ＬＥＤ２８が同時に点灯されると、各第１ＬＥＤ１８及び各第２ＬＥＤ２８からの出射光のうち第１基板２あるいは第２基板６に向かう光は、反射面１６ａ、２６ａにより照明対象に向かいながら反射を繰り返し、第１突出部１６と第２突出部２６との間に集約された状態で照明対象へと照射される。このため、照明対象を照明する直線状の光のうち、例えば、比較的照度の低い位置での照度が向上する。したがって、照明対象を照明する直線状の光にリップルが現れることを抑制できる。【選択図】        図１
2009277551.tif 000002
【特許請求の範囲】
【請求項１】
照明対象を照明する照明装置において、
第１実装面を有する第１基板と、
前記第１実装面に実装され、前記照明対象と対向する側面から当該照明対象に向かって第１光を出射するサイドビュー型の第１ＬＥＤを配列方向に等間隔に１列で複数配列することで構成される第１ＬＥＤ群と、
前記第１実装面と対向する第２実装面を有する第２基板と、
前記第２実装面に実装され、前記照明対象と対向する側面から当該照明対象に向かって第２光を出射するサイドビュー型の第２ＬＥＤを等間隔に前記配列方向に１列で複数配列することで構成され、かつ、前記第１ＬＥＤ群と対向する位置に配置された第２ＬＥＤ群と、
を備え、
前記第１ＬＥＤ群の各第１ＬＥＤ同士のピッチである第１配列ピッチと、前記第２ＬＥＤ群の各第２ＬＥＤ同士のピッチである第２配列ピッチとの位相が前記配列方向にずれており、
前記第１基板は、前記実装された第１ＬＥＤ群の照明対象側から前記照明対象に向かって突出する第１突出部を有し、
前記第２基板は、前記実装された第２ＬＥＤ群の照明対象側から前記照明対象に向かって突出する第２突出部を有し、
前記第１突出部の前記第１実装面側及び前記第２突出部の前記第２実装面側は、前記第１光及び前記第２光を反射する反射面が形成されている、
ことを特徴とする照明装置。
【請求項２】
前記第１配列ピッチと前記第２配列ピッチとの位相のずれは、１／２とされる、
ことを特徴とする請求項１に記載の照明装置。
【請求項３】
前記第１ＬＥＤ及び前記第２ＬＥＤと前記照明対象との距離をＬとし、前記第１ＬＥＤと前記第２ＬＥＤとの間のＬＥＤ間配列ピッチをＰとした場合に、距離ＬとＬＥＤ間配列ピッチＰとが下記の式（１）を満たす、
ことを特徴とする請求項２に記載の照明装置。
Ｌ／Ｐ≧１．５  ・・・（１）
【請求項４】
前記第１ＬＥＤ及び前記第２ＬＥＤと前記照明対象との距離をＬとし、前記第１ＬＥＤと前記第２ＬＥＤとの間のＬＥＤ間配列ピッチをＰとし、前記照明対象の前記第１ＬＥＤと前記第２ＬＥＤとからの光が照射される照射面の法線と、前記第１ＬＥＤと前記第２ＬＥＤとから出射される光の光軸とのなす角をαとした場合に、距離Ｌと、ＬＥＤ間配列ピッチＰと、角αとが下記の式（２）を満たす、
ことを特徴とする請求項２に記載の照明装置。
Ｌ／Ｐ≧１．５／ｃｏｓα  ・・・（２）
【請求項５】
前記第１ＬＥＤと前記第２ＬＥＤとから出射された光を拡散させて前記照明対象に照射するための拡散透過部材を、前記第１実装面と前記第２実装面との間で前記第１突出部及び前記第２突出部に設けている、
ことを特徴とする請求項１又は２に記載の照明装置。
【請求項６】
前記第１基板における前記反射面は、前記第１実装面と一体に形成されており、
前記第２基板における前記反射面は、前記第２実装面と一体に形成されており、
前記第１実装面、前記第２実装面、及び、前記反射面が白色のレジストである、
ことを特徴とする請求項１〜５のいずれか１項に記載の照明装置。
【請求項７】
前記第１基板と前記第２基板とが、高熱伝導部材により前記反射面を除いた位置で保持される、
ことを特徴とする請求項１〜６のいずれか１項に記載の照明装置。
【請求項８】
前記第１実装面は前記第１ＬＥＤに対応した第１実装領域を有し、
前記第２実装面は前記第２ＬＥＤに対応した第２実装領域を有し、
前記第１実装領域は、前記第１ＬＥＤと、当該第１ＬＥＤを前記第１基板に実装するための第１半田付け用パッドとにより構成され、
前記第２実装領域は、前記第２ＬＥＤと、当該第２ＬＥＤを前記第２基板に実装するための第２半田付け用パッドとにより構成され、
前記配列方向において、第１実装領域の長さ、及び、第２実装領域の長さをＬ１とし、前記第１ＬＥＤと前記第２ＬＥＤとの間のＬＥＤ間配列ピッチをＰとした場合に、長さＬ１と、ＬＥＤ間配列ピッチＰとが下記の式（３）を満たす、
ことを特徴とする請求項１〜７のいずれか１項に記載の照明装置。
Ｌ１＞Ｐ  ・・・（３）
【請求項９】
前記第１ＬＥＤと前記第２ＬＥＤとから出射された光を集光させて前記照明対象に照射するためのシリンドリカルレンズを、当該シリンドリカルレンズの凸曲面を前記照明対象と対向させて、前記第１実装面と前記第２実装面との間で前記第１突出部及び前記第２突出部の前記照明対象側の端部に備える、
ことを特徴とする請求項１〜８のいずれか１項に記載の照明装置。
【請求項１０】
前記請求項１〜９のいずれか１項に記載の照明装置と、
前記照明装置により照明された照明対象である画像読取媒体を撮像する撮像手段と、
を備えることを特徴とする画像読取装置。
【発明の詳細な説明】
【技術分野】
【０００１】
本発明は、例えば、液晶表示装置のバックライトや画像読取装置の光源等として使用される照明装置、及び、当該照明装置を備えた画像読取装置に関するものである。
【背景技術】
【０００２】
複数のＬＥＤを同時に点灯させることにより、光を照明対象に照射し、この照明対象を直線状に照明する照明装置が提案されており、その一例が下記特許文献１に開示されている。
【０００３】
特許文献１に開示されている照明装置では、複数のＬＥＤが光の出射方向を揃えて１列に等間隔で１枚の基板に実装されており、複数のＬＥＤが同時に点灯されると、照明対象には、複数のＬＥＤからの光が照射される。この結果、照明対象は、複数のＬＥＤにより直線状に照明される。この種の照明装置は、例えば、液晶表示装置のバックライトや画像読取装置の光源等として使用される。
【０００４】
【特許文献１】特開２００５−１７４８２０号公報
【発明の開示】
【発明が解決しようとする課題】
【０００５】
しかしながら、この種の照明装置が適用されている装置を小型化しようとする場合には、例えば、照明装置が照明対象付近に配置される。このため、ＬＥＤと照明対象との距離が短くなり、この結果、照明対象に照射される光が十分に拡散できない。したがって、照明対象に照射された光、言い換えれば、照明対象を直線状に照明する光には、照度むらであるリップルが現れてしまう。このとき、リップルを抑制するために、互いに隣り合うＬＥＤの間に隙間がある場合には、１列に配列されたＬＥＤの配列ピッチを狭めることもできるが、互いに隣り合うＬＥＤ同士が干渉してしまうと、それ以上はＬＥＤの配列ピッチを狭めることができない。このような理由から、リップルの抑制に対するニーズは依然としてある。
【０００６】
本発明は、上記に鑑みてなされたものであって、直線状に配列された複数のＬＥＤが同時に点灯された場合に、照明対象を照明する直線状の光にリップルが現れることを抑制できる照明装置、及び、当該照明装置を備えた画像読取装置を得ることを目的とする。
【課題を解決するための手段】
【０００７】
上述した課題を解決し、目的を達成するために、本発明に係る照明装置は、照明対象を照明する照明装置において、第１実装面を有する第１基板と、前記第１実装面に実装され、前記照明対象と対向する側面から当該照明対象に向かって第１光を出射するサイドビュー型の第１ＬＥＤを配列方向に等間隔に１列で複数配列することで構成される第１ＬＥＤ群と、前記第１実装面と対向する第２実装面を有する第２基板と、前記第２実装面に実装され、前記照明対象と対向する側面から当該照明対象に向かって第２光を出射するサイドビュー型の第２ＬＥＤを等間隔に前記配列方向に１列で複数配列することで構成され、かつ、前記第１ＬＥＤ群と対向する位置に配置された第２ＬＥＤ群と、を備え、前記第１ＬＥＤ群の各第１ＬＥＤ同士のピッチである第１配列ピッチと、前記第２ＬＥＤ群の各第２ＬＥＤ同士のピッチである第２配列ピッチとの位相が前記配列方向にずれており、前記第１基板は、前記実装された第１ＬＥＤ群の照明対象側から前記照明対象に向かって突出する第１突出部を有し、前記第２基板は、前記実装された第２ＬＥＤ群の照明対象側から前記照明対象に向かって突出する第２突出部を有し、前記第１突出部の前記第１実装面側及び前記第２突出部の前記第２実装面側は、前記第１光及び前記第２光を反射する反射面が形成されている、ことを特徴としている。
【０００８】
また、上記照明装置において、前記第１配列ピッチと前記第２配列ピッチとの位相のずれは、１／２とされる、ことが好ましい。
【０００９】
また、上記照明装置において、前記第１ＬＥＤ及び前記第２ＬＥＤと前記照明対象との距離をＬとし、前記第１ＬＥＤと前記第２ＬＥＤとの間のＬＥＤ間配列ピッチをＰとした場合に、距離ＬとＬＥＤ間配列ピッチＰとが下記の式（１）を満たす、ことが好ましい。
Ｌ／Ｐ≧１．５  ・・・（１）
【００１０】
また、上記照明装置において、前記第１ＬＥＤ及び前記第２ＬＥＤと前記照明対象との距離をＬとし、前記第１ＬＥＤと前記第２ＬＥＤとの間のＬＥＤ間配列ピッチをＰとし、前記照明対象の前記第１ＬＥＤと前記第２ＬＥＤとからの光が照射される照射面の法線と、前記第１ＬＥＤと前記第２ＬＥＤとから出射される光の光軸とのなす角をαとした場合に、距離Ｌと、ＬＥＤ間配列ピッチＰと、角αとが下記の式（２）を満たす、ことが好ましい。
Ｌ／Ｐ≧１．５／ｃｏｓα  ・・・（２）
【００１１】
また、上記照明装置において、前記第１ＬＥＤと前記第２ＬＥＤとから出射された光を拡散させて前記照明対象に照射するための拡散透過部材を、前記第１実装面と前記第２実装面との間で前記第１突出部及び前記第２突出部に設けている、ことを特徴としている。
また、上記照明装置において、前記第１基板における前記反射面は、前記第１実装面と一体に形成されており、前記第２基板における前記反射面は、前記第２実装面と一体に形成されており、前記第１実装面、前記第２実装面、及び、前記反射面が白色のレジストである、ことが好ましい。
【００１２】
また、上記照明装置において、前記第１基板と前記第２基板とが、高熱伝導部材により前記反射面を除いた位置で保持される、ことが好ましい。
【００１３】
また、上記照明装置において、前記第１実装面は前記第１ＬＥＤに対応した第１実装領域を有し、前記第２実装面は前記第２ＬＥＤに対応した第２実装領域を有し、前記第１実装領域は、前記第１ＬＥＤと、当該第１ＬＥＤを前記第１基板に実装するための第１半田付け用パッドとにより構成され、前記第２実装領域は、前記第２ＬＥＤと、当該第２ＬＥＤを前記第２基板に実装するための第２半田付け用パッドとにより構成され、前記配列方向において、第１実装領域の長さ、及び、第２実装領域の長さをＬ１とし、前記第１ＬＥＤと前記第２ＬＥＤとの間のＬＥＤ間配列ピッチをＰとした場合に、長さＬ１と、ＬＥＤ間配列ピッチＰとが下記の式（３）を満たす、ことが好ましい。
Ｌ１＞Ｐ  ・・・（３）
【００１４】
また、上記照明装置において、前記第１ＬＥＤと前記第２ＬＥＤとから出射された光を集光させて前記照明対象に照射するためのシリンドリカルレンズを、当該シリンドリカルレンズの凸曲面を前記照明対象と対向させて、前記第１実装面と前記第２実装面との間で前記第１突出部及び前記第２突出部の前記照明対象側の端部に備える、ことが好ましい。
【００１５】
また、本発明に係る画像読取装置は、上記の照明装置と、前記照明装置により照明された照明対象である画像読取媒体を撮像する撮像手段と、を備えることを特徴としている。
【発明の効果】
【００１６】
本発明では、直線状に配列されている複数のＬＥＤ、言い換えれば、１列に配列されている第１ＬＥＤ群の各第１ＬＥＤと、１列に配列されている第２ＬＥＤ群の各第２ＬＥＤとが同時に点灯されると、各第１ＬＥＤと各第２ＬＥＤとから出射された光は、照明対象に照射され、この照明対象は、直線状に照明される。ここで、第１ＬＥＤ群の各第１ＬＥＤと第２ＬＥＤ群の各第２ＬＥＤとから出射された光のうち第１基板あるいは第２基板に向かう光は、互いに対向する第１基板と第２基板との第１突出部及び第２突出部に設けられている反射面により照明対象に向かいながら反射を繰り返す。つまり、第１基板あるいは第２基板に向かう光は、第１基板と第２基板とに第１突出部や第２突出部が設けられていなければ拡散してしまうところを、第１突出部や第２突出部の反射面により第１突出部と第２突出部との間に集約された状態で照明対象へと照射される。このため、照明対象を照明する直線状の光のうち、例えば、比較的照度の低い位置での照度が向上する。したがって、照明対象を照明する直線状の光にリップルが現れることを抑制できるという効果を奏する。
【００１７】
また、本発明では、第１ＬＥＤと第２ＬＥＤとから出射された光は、第１実装面と第２実装面との間で第１基板の第１突出部及び第２基板の第２突出部、すなわち、第１基板及び第２基板の照明対象側に設けられている拡散透過部材により拡散されてから照明対象に照射されるので、各ＬＥＤから出射された光は、出射方向に沿って見た場合に、ＬＥＤの配列方向に沿ってより一層拡散される。したがって、照明対象を照明する直線状の光にリップルが現れることをより一層抑制できるという効果を奏する。
【００１８】
また、本発明では、例えば、第１基板と第２基板とがプリント基板である場合には、各基板の実装面のレジストの色が白色となるように、プリント基板を製造することで、プリント基板の製造時に反射面を併せて作製できる。また、反射面は、プリント基板の製造に用いられるレジストから作製されるため、反射面を作製するために要するコストの増加を抑制できるという効果を奏する。
【００１９】
また、本発明では、第１基板と第２基板とが高熱伝導部材によりそれぞれの反射面を除いた位置で保持されているので、照明対象を照明する直線状の光にリップルが現れることを抑制する能力を維持しつつ、例えば、第１基板と第２基板とを平行に保って各基板の反りを抑制したり、各基板の熱拡散や放熱の具合を改善できるという効果を奏する。
【００２０】
また、本発明では、第１ＬＥＤと第２ＬＥＤとから出射された光は、反射面により第１突出部と第２突出部との間に集約され、さらに、シリンドリカルレンズにより集光されてから照明対象に照射される。このため、照明対象に照射される光の照度が向上する。したがって、照明対象を照明する直線状の光にリップルが現れることをより一層抑制できるという効果を奏する。
【発明を実施するための最良の形態】
【００２１】
以下に、本発明に係る照明装置の実施の形態を図面に基づいて詳細に説明する。なお、以下の各実施の形態によりこの発明が限定されるものではない。
【００２２】
〔実施の形態１〕
以下、実施の形態１に係る照明装置について説明する。図１は、実施の形態１に係る照明装置の概略を側面図にて示しており、図２は、この照明装置の概略を斜視図にて示している。また、図３は、画像読取装置に適用された照明装置を側面図にて示している。
【００２３】
照明装置１は、照明対象を照明するものである。この照明装置１は、第１基板２と、第１ＬＥＤ群４と、第２基板６と、第２ＬＥＤ群８と、を備えている。実施の形態１では、照明装置１が画像読取装置の光源として使用される場合を例に挙げて説明する。
【００２４】
第１基板２は、第１ＬＥＤ群４を実装するためのものである。第１基板２は、例えば、矩形板状とされている。この第１基板２は、例えば、プリント基板とされている。第１基板２は、基板本体１４と、第１突出部１６とから構成されている。この第１基板２を後述の照明対象としての画像読取媒体Ｓに対して配置した場合に、画像読取媒体Ｓ側に第１突出部１６が位置し、かつ、第１突出部１６に対して画像読取媒体Ｓとは反対側に基板本体１４が位置するように、基板本体１４と第１突出部１６とが区分されている。
【００２５】
基板本体１４は、第１実装面１４ａを有しており、基板本体１４の板厚方向一側の面が、第１実装面１４ａとされている。第１実装面１４ａには、後述の第１ＬＥＤ群４が実装されている。実施の形態１では、第１実装面１４ａは、白色のレジストである。実施の形態１の第１実装面１４ａは、例えば、基板本体１４に白色のレジストが塗布されて形成される。
【００２６】
一方、第１突出部１６の板厚方向の一側である第１実装面１４ａ側には、反射面１６ａが形成されている。この反射面１６ａは、第１実装面１４ａと一体に形成されている。反射面１６ａは、鏡面あるいは白色の拡散反射面とされている。実施の形態１では、反射面１６ａは、白色のレジストである。すなわち、実施の形態１では、反射面１６ａと前述の第１実装面１４ａとが白色のレジストとなっている。実施の形態１の反射面１６ａは、例えば、第１突出部１６の板厚方向一側の面に白色のレジストが塗布されて形成される。
【００２７】
第１ＬＥＤ群４は、複数、実施の形態１では例えば５個の第１ＬＥＤ１８から構成されている。各第１ＬＥＤ１８は、後述の照明対象としての画像読取媒体Ｓに第１光を照射するものである。第１ＬＥＤ群４の複数の第１ＬＥＤ１８は、第１基板２の基板本体１４の第１実装面１４ａに実装されている。各第１ＬＥＤ１８は、基板本体１４の板厚方向とおおよそ直交する方向に光を出射するサイドビュー型のＬＥＤとされている。各第１ＬＥＤ１８は、その発光面を第１突出部１６側にするようにして、基板本体１４の第１実装面１４ａに実装されている。またさらに、第１ＬＥＤ群４を構成する複数の第１ＬＥＤ１８は、第１実装面１４ａにおいて、第１突出部１６の画像読取媒体Ｓ側の端部と平行な方向に１列に等間隔、実施の形態１では間隔（２×Ｐ）で第１実装面１４ａに実装されている。このとき、全ての第１ＬＥＤ１８の発光面と、第１突出部１６の反射面１６ａの画像読取媒体Ｓ側の端部とが、平行となる。以上のように、第１ＬＥＤ１８をその配列方向である第１突出部１６の端部と平行な方向に等間隔、実施の形態では間隔（２×Ｐ）で複数配列することで第１ＬＥＤ群４が構成されている。以上のような第１ＬＥＤ群４を構成する複数の第１ＬＥＤ１８は、図示しない点灯制御手段により同時に点灯される。
【００２８】
また、第２基板６は、第２ＬＥＤ群８を実装するためのものである。第２基板６は、例えば、矩形板状とされており、実施の形態１では、第２基板６は、前述の第１基板２と同形とされている。この第２基板６は、例えば、プリント基板とされている。第２基板６は、基板本体２４と、第２突出部２６とから構成されている。この第２基板６を後述の照明対象としての画像読取媒体Ｓに対して配置した場合に、画像読取媒体Ｓ側に第２突出部２６が位置し、かつ、第２突出部２６に対して画像読取媒体Ｓとは反対側に基板本体２４が位置するように、基板本体２４と第２突出部２６とが区分されている。
【００２９】
基板本体２４は、第２実装面２４ａを有しており、基板本体２４の板厚方向一側の面が、第２実装面２４ａとされている。第２実装面２４ａには、後述の第２ＬＥＤ群８が実装されている。実施の形態１では、第２実装面２４ａは、白色のレジストである。実施の形態１の第２実装面２４ａは、例えば、基板本体２４に白色のレジストが塗布されて形成される。
【００３０】
一方、第２突出部２６の板厚方向の一側である第２実装面２４ａ側には、反射面２６ａが形成されている。この反射面２６ａは、第２実装面２４ａと一体に形成されている。反射面２６ａは、鏡面あるいは白色の拡散反射面とされている。実施の形態１では、反射面２６ａは、白色のレジストである。すなわち、実施の形態１では、反射面２６ａと前述の第２実装面２４ａとが白色のレジストとなっている。実施の形態１の反射面２６ａは、例えば、第２突出部２６の板厚方向一側の面に白色のレジストが塗布されて形成される。
【００３１】
第２ＬＥＤ群８は、複数、実施の形態１では例えば５個の第２ＬＥＤ２８から構成されている。各第２ＬＥＤ２８は、後述の照明対象としての画像読取媒体Ｓに第２光を照射するものである。第２ＬＥＤ群８の複数の第２ＬＥＤ２８は、第２基板６の基板本体２４の第２実装面２４ａに実装されている。各第２ＬＥＤ２８は、基板本体２４の板厚方向とおおよそ直交する方向に光を出射するサイドビュー型のＬＥＤとされている。各第２ＬＥＤ２８は、その発光面を第２突出部２６側にするようにして、基板本体２４の第２実装面２４ａに実装されている。またさらに、第２ＬＥＤ群８を構成する複数の第２ＬＥＤ２８は、第２実装面２４ａにおいて、第２突出部２６の画像読取媒体Ｓ側の端部と平行な方向に１列に等間隔、実施の形態１では間隔（２×Ｐ）で第２実装面２４ａに実装されている。このとき、全ての第２ＬＥＤ２８の発光面と、第２突出部２６の反射面２６ａの画像読取媒体Ｓ側の端部とが、平行となる。以上のように、第２ＬＥＤ２８をその配列方向である第２突出部２６の端部と平行な方向に等間隔、実施の形態では間隔（２×Ｐ）で複数配列することで第２ＬＥＤ群８が構成されている。以上のような第２ＬＥＤ群８を構成する複数の第２ＬＥＤ２８は、第１ＬＥＤ群４の複数の第１ＬＥＤ１８と共に、図示しない点灯制御手段により全てが同時に点灯される。言い換えれば、第１ＬＥＤ群４の各第１ＬＥＤ１８と、第２ＬＥＤ群８の各第２ＬＥＤ２８との全てが、図示しない点灯制御手段により同時に点灯される。
【００３２】
このような第２基板６は、第１基板２と対向して配置される。より詳しく述べると、第１基板２の基板本体１４の第１実装面１４ａと、第２基板６の基板本体２４の第２実装面２４ａとが対向し、なおかつ、第１基板２の第１突出部１６の反射面１６ａと、第２基板６の第２突出部２６の反射面２６ａとが対向するように、第２基板６は、第１基板２と対向して配置される。この結果、第１ＬＥＤ１８の発光面と、第２ＬＥＤ２８の発光面とが面一とされる。このようにして、第１基板２に実装されている複数の第１ＬＥＤ１８から構成される第１ＬＥＤ群４と、第２基板６に実装されている複数の第２ＬＥＤ２８から構成される第２ＬＥＤ群８とが互いに対向するように、第２基板６は、第１基板２と互いに対向しかつ平行に離間して配置される。このとき、第２基板６に実装されている第２ＬＥＤ群８の各第２ＬＥＤ２８同士のピッチである第２配列ピッチ、実施の形態１では間隔（２×Ｐ）は、第１基板２に実装されている第１ＬＥＤ群４の各第１ＬＥＤ１８同士のピッチである第１配列ピッチ、実施の形態１では間隔（２×Ｐ）との間で位相を、第１ＬＥＤ１８及び第２ＬＥＤ２８の配列方向に、例えば１／２ずらされる。実施の形態１では、第１基板２をその板厚方向に平行移動させると第１基板２と第２基板６とが重なるように第２基板６を配置しており、第１基板２と第２基板６とを対向配置させた場合に第１ＬＥＤ群４の第１配列ピッチと第２ＬＥＤ群８の第２配列ピッチとの位相が１／２だけずれるように、各第１ＬＥＤ１８の第１基板２への実装位置と、各第２ＬＥＤ２８の第２基板６への実装位置とが予め決められている。この他、例えば、第１基板２をその板厚方向に平行移動させた場合に第１基板２と第２基板６とが重ならなくても、第１基板２と第２基板６とを対向配置させた場合に第１ＬＥＤ群４の第１配列ピッチと第２ＬＥＤ群８の第２配列ピッチとの位相が１／２だけずれるように、第２基板６を、第１基板２に対して、複数の第２ＬＥＤ２８の配列方向に沿って平行に移動させてもよい。なお、第１ＬＥＤ群４の第１配列ピッチと第２ＬＥＤ群８の第２配列ピッチとの位相が１／２だけずれた状態となった第１基板２と第２基板６とは、例えば、図示しない固定手段により、連結される。
【００３３】
図３に示すように、照明装置１は、例えば、画像読取装置３２の光源として使用される。照明装置１は、その第１ＬＥＤ１８及び第２ＬＥＤ２８の発光面が、照明対象としての例えば原稿等のシート状の画像読取媒体Ｓが撮像される撮像位置と対向するように、配置されている。この結果、第１光及び第２光の出射方向に沿って、照明装置１の第１突出部１６は、第１実装面１４ａに実装された第１ＬＥＤ群４の画像読取媒体Ｓ側、すなわち、基板本体１４の第１ＬＥＤ群４の各第１ＬＥＤ１８の発光面側から画像読取媒体Ｓに向かって画像読取媒体Ｓの近傍まで突出している。そして、第１光及び第２光の出射方向に沿って、照明装置１の第２突出部２６は、第２実装面２４ａに実装された第２ＬＥＤ群８の画像読取媒体Ｓ側、すなわち、基板本体２４の第２ＬＥＤ群８の各第２ＬＥＤ２８の発光面側から画像読取媒体Ｓに向かって画像読取媒体Ｓの近傍まで突出している。つまり、一対の基板である第１基板２及び第２基板６の画像読取媒体Ｓ側の２つの端部は、共に画像読取媒体Ｓの近傍まで突出している。このような照明装置１では、第１ＬＥＤ群４の各第１ＬＥＤ１８及び第２ＬＥＤ群８の各第２ＬＥＤ２８が、画像読取媒体Ｓと対向する側面である発光面からこの画像読取媒体Ｓに向かって第１光及び第２光を出射することとなる。第１ＬＥＤ群４の各第１ＬＥＤ１８及び第２ＬＥＤ群８の各第２ＬＥＤ２８は、図示しない点灯制御手段により同時に点灯されることで、照明対象としての画像読取媒体Ｓに光を照射する。なお、画像読取装置３２においては、前述の複数の第１ＬＥＤ１８の配列方向及び複数の第２ＬＥＤ２８の配列方向が主走査方向となる。実施の形態１では、照明装置１は、撮像位置での画像読取媒体Ｓの法線方向に対して、所定角度傾斜して配置されている。
【００３４】
画像読取装置３２では、画像読取装置３２が備える撮像手段３３が、照明装置１により照明された照明対象である画像読取媒体Ｓを撮像する。
【００３５】
撮像手段３３は、例えば複数のＣＣＤ（Ｃｈａｒｇｅ  Ｃｏｕｐｌｅｄ  Ｄｅｖｉｃｅ）撮像素子から構成されている。この他、撮像手段３３は、例えば複数のＣＭＯＳ型の撮像素子から構成されていてもよい。撮像手段３３を構成する複数の撮像素子は主走査方向（複数の第１ＬＥＤ１８の配列方向及び複数の第２ＬＥＤ２８の配列方向）にライン状に配列されており、撮像手段３３は、例えば画像読取媒体Ｓが図示しない搬送手段により副走査方向に搬送されることで、画像読取媒体Ｓの全領域を走査する。したがって、図示しない搬送手段により画像読取媒体Ｓが副走査方向に搬送されている場合、撮像手段３３の各撮像素子には、画像読取媒体Ｓで反射した照明装置１からの光、すなわち、反射光が入射されるので、撮像手段３３の各撮像素子からは画像読取媒体Ｓの全領域に対応した露光ごとの撮像画像信号が出力される。なお、この撮像画像信号は、例えば、画像読取装置３２に接続された画像データ生成装置に送信される。画像データ生成装置では、撮像手段３３から送信された撮像画像信号に所定の画像処理が施されて、画像読取媒体Ｓの全領域に対応した撮像画像データが生成される。以上のように、撮像手段３３は、例えば、図示しない搬送手段により副走査方向に搬送されている画像読取媒体Ｓにおいて反射された、照明装置１からの直線状の光に基づいて、画像読取媒体Ｓを撮像する。
【００３６】
なお、図３において符号「Ｇ」で示される部材は、例えば矩形平板状とされた透明の画像読取用板部材である。この画像読取用板部材Ｇは、画像読取媒体Ｓの移動軌跡である搬送路に対して画像読取用板部材Ｇとは反対側に設けられている図示しない媒体支持部材側へ画像読取媒体Ｓを押し付けて、画像読取媒体Ｓが媒体支持部材から浮いてしまうことを抑制する。
【００３７】
次に、実施の形態１の照明装置１の動作について説明する。
【００３８】
照明装置１では、図示しない点灯制御手段により直線状に配列されている複数のＬＥＤ、実施の形態１では主走査方向に沿って配列されている複数のＬＥＤ、言い換えれば、１列に配列されている第１ＬＥＤ群４の各第１ＬＥＤ１８と、１列に配列されている第２ＬＥＤ群８の各第２ＬＥＤ２８とが同時に点灯されると、第１ＬＥＤ群４の各第１ＬＥＤ１８と第２ＬＥＤ群８の各第２ＬＥＤ２８とから出射された第１光と第２光とが、画像読取媒体Ｓに向けて照射される。ここで、図４の（ａ）に示すように、第１ＬＥＤ群４の各第１ＬＥＤ１８と第２ＬＥＤ群８の各第２ＬＥＤ２８とから出射された第１光と第２光とのうち、第１基板２あるいは第２基板６に向かう光は、互いに対向する第１基板２と第２基板６との第１突出部１６及び第２突出部２６に設けられている反射面１６ａ及び反射面２６ａにより、画像読取媒体Ｓに向かいながら画像読取媒体Ｓの近傍まで反射を繰り返す。つまり、第１基板２あるいは第２基板６に向かう光は、第１基板２と第２基板６とに第１突出部１６や第２突出部２６が設けられていなければ拡散してしまうところを、第１突出部１６の反射面１６ａや第２突出部２６の反射面２６ａにより、第１突出部１６と第２突出部２６との間に集約された状態で画像読取媒体Ｓへと照射される。この結果、第１ＬＥＤ群４の各第１ＬＥＤ１８と第２ＬＥＤ群８の各第２ＬＥＤ２８とから出射された第１光と第２光とが、画像読取媒体Ｓに同時に照射される。この画像読取媒体Ｓは、主走査方向に沿った直線状に照明される。また前述のように、第１ＬＥＤ群４の各第１ＬＥＤ１８と第２ＬＥＤ群８の各第２ＬＥＤ２８とから出射された第１光と第２光とが、第１突出部１６の反射面１６ａや第２突出部２６の反射面２６ａにより、第１突出部１６と第２突出部２６との間に集約された状態で画像読取媒体Ｓへと照射されるため、図４の（ｂ）に示す第１ＬＥＤ１８及び第２ＬＥＤ２８から出射される第１光及び第２光の光度分布からも分かるように、画像読取媒体Ｓに照射される第１光と第２光との照度が向上する。このとき、例えば、照明対象を照明する直線状の光のうち、比較的照度の低い位置での照度が向上する。したがって、照明対象を照明する直線状の光にリップルが現れることを抑制できる。
【００３９】
またこのとき、第１ＬＥＤ１８及び第２ＬＥＤ２８の配列方向においては、第１基板２あるいは第２基板６に向かう光、言い換えれば、仮に第１突出部１６及び第２突出部２６と反射面１６ａ及び反射面２６ａとが設けられていなければ第１突出部１６と第２突出部２６との間に集約されることのなかった光が、反射面１６ａや反射面２６ａにより反射されることで、十分に拡散される。したがって、照明装置１と画像読取媒体Ｓとの距離を比較的短くしても、画像読取媒体Ｓを照明する主走査方向に沿った直線状の光にリップルが現れることを抑制できる。
【００４０】
また、照明装置１では、例えば、１つの基板に複数のＬＥＤを主走査方向に沿って１列に間隔（２×Ｐ）で配列している場合と比べて、ＬＥＤを、主走査方向に沿って密に配列できる。このため、第１ＬＥＤ１８と第２ＬＥＤ２８とから照射対象である画像読取媒体Ｓに照射される第１光と第２光とにリップルが現れることを抑制した状態で、第１ＬＥＤ１８の発光面及び第２ＬＥＤ２８の発光面から照射対象である画像読取媒体Ｓまでの距離を短くできる。このとき、前述のように第１ＬＥＤ１８と第２ＬＥＤ２８とから出射された第１光と第２光との照度が向上するので、１個の第１ＬＥＤ１８や第２ＬＥＤ２８が発光するのに要する電流を小さくしても、画像読取媒体Ｓを照明するのに必要なＬＥＤの発光量を維持できる。したがって、第１ＬＥＤ１８や第２ＬＥＤ２８での発熱量を抑制でき、例えば、第１基板２や第２基板６が第１ＬＥＤ１８や第２ＬＥＤ２８で発生した熱の影響を受けることを抑制できる。
【００４１】
ところで、照明装置１では、例えば、一対の基板、言い換えれば第１基板２と第２基板６とがプリント基板である場合には、各基板の実装面、すなわち第１基板２の第１実装面１４ａと第２基板６の第２実装面２４ａとのレジストの色が白色となるように、プリント基板を製造することで、プリント基板の製造時に反射面１６ａと反射面２６ａとを併せて作製できる。また、反射面１６ａと反射面２６ａとは、プリント基板の製造に用いられるレジストから作製されるため、反射面１６ａと反射面２６ａとを作製するために要するコストの増加を抑制できる。
【００４２】
以上のような照明装置１を備えている画像読取装置３２では、画像読取媒体Ｓを照明する直線状の光にリップルが現れることを抑制できるので、例えば、撮像手段３３により撮像された画像読取媒体Ｓの撮像画像を、照度のバラツキが抑制された鮮明な画像にできる。また、照明装置１と画像読取媒体Ｓとの距離を比較的短くしても、画像読取媒体Ｓを照明する直線状の光にリップルが現れることを抑制できるので、照明装置１を画像読取媒体Ｓに比較的近づけて配設することで、例えば、画像読取装置３２の小型化を図ることができる。
【００４３】
なお、実施の形態１では、第１基板２が矩形板状であるものとしたが、本発明はこれに限らない。第１基板２の板厚方向から見た場合に、第１ＬＥＤ１８の配列方向において、第１ＬＥＤ１８が実装されていないＬＥＤ非実装領域が第１実装面１４ａにあるときには、第１突出部１６のうちＬＥＤ非実装領域よりも第１光の出射方向側の部分が、例えば、切り欠かれていてもよい。これと同様に、第２基板６の板厚方向から見た場合に、第２ＬＥＤ２８の配列方向において、第２ＬＥＤ２８が実装されていないＬＥＤ非実装領域が第２実装面２４ａにあるときには、第２突出部２６のうちＬＥＤ非実装領域よりも第２光の出射方向側の部分が、例えば、切り欠かれていてもよい。
【００４４】
〔実施の形態２〕
以下、実施の形態２に係る照明装置について説明する。図５は、実施の形態２に係る照明装置から出射される光の照度について説明するための模式図である。なお、前述の実施の形態１と同様の構成要件については、同一符号を付してその説明を省略する。
【００４５】
図３にも示すように、実施の形態２の照明装置１は、第１ＬＥＤ１８の発光面及び第２ＬＥＤ２８の発光面と画像読取媒体Ｓとの距離をＬとし、実施の形態２では主走査方向に沿って、第１ＬＥＤ１８と第２ＬＥＤ２８との間のＬＥＤ間配列ピッチをＰとした場合に、距離ＬとＬＥＤ間配列ピッチＰとが次の式（４）を満たしている。
Ｌ／Ｐ≧１．５  ・・・（４）
【００４６】
図６は、画像読取媒体Ｓにおいて照明装置１により照射された直線状の光のリップルの測定結果を示している。ここでは、Ｌ／Ｐ＝１の場合と、Ｌ／Ｐ＝１．２の場合と、Ｌ／Ｐ＝１．５の場合と、を例示している。図６のグラフから、Ｌ／Ｐの値が１から１．２を経て１．５へと増加するに伴い、相対照度のバラツキであるリップルが抑制されていくことが分かる。
【００４７】
なお、図５において符号「θ」は、主走査方向に沿って画像読取媒体Ｓと垂直に交わる平面において、ＬＥＤから出射された光が画像読取媒体Ｓに入射する入射角を示している。
【００４８】
実施の形態２の照明装置１では、第１ＬＥＤ１８の発光面及び第２ＬＥＤ２８の発光面と画像読取媒体Ｓとの距離Ｌが、実施の形態２では主走査方向に沿って、第１ＬＥＤ１８と第２ＬＥＤ２８とのＬＥＤ間配列ピッチＰの１．５倍以上であるので、図６のグラフにも示されるように、画像読取媒体Ｓを照明する主走査方向に沿った直線状の光にリップルが現れることをより一層抑制できる。
【００４９】
図７は、各ＬＥＤの間に輝度のバラツキが生じた場合での、画像読取媒体Ｓにおいて照明装置１により照射された直線状の光のリップルの測定結果を示している。ここでは、Ｌ／Ｐ＝１の場合と、Ｌ／Ｐ＝１．２の場合と、Ｌ／Ｐ＝１．５の場合と、を例示している。また、ここでは、各ＬＥＤの間での輝度のバラツキは、±１０％である。図７のグラフから、各ＬＥＤの間で輝度にバラツキがある場合には、画像読取媒体Ｓを照明する主走査方向に沿った直線状の光にリップルが現れてしまうものの、図６で示した場合と同様に、Ｌ／Ｐの値が１から１．２を経て１．５へと増加するに伴い、相対照度のバラツキであるリップルが抑制されていくことが分かる。
【００５０】
〔実施の形態３〕
以下、実施の形態３に係る照明装置について説明する。図８は、実施の形態３に係る照明装置の概略を模式図にて示している。なお、前述の実施の形態１〜２と同様の構成要件については、同一符号を付してその説明を省略する。
【００５１】
実施の形態３の照明装置１は、第１ＬＥＤ１８及び第２ＬＥＤ２８の発光面と画像読取媒体Ｓとの距離をＬとし、実施の形態３では主走査方向に沿って、第１ＬＥＤ１８と第２ＬＥＤ２８との間のＬＥＤ間配列ピッチをＰとし、画像読取媒体Ｓの第１ＬＥＤ１８と第２ＬＥＤ２８とからの第１光と第２光とが照射される照射面の法線と、第１ＬＥＤ１８と第２ＬＥＤ２８とから出射される第１光及び第２光の光軸とのなす角をαとした場合に、距離Ｌと、ＬＥＤ間配列ピッチＰと、角αとが次の式（５）を満たしている。
Ｌ／Ｐ≧１．５／ｃｏｓα  ・・・（５）
【００５２】
図９は、画像読取媒体Ｓにおいて照明装置１により照射された直線状の光のリップルの測定結果を示している。ここでは、ｃｏｓα・Ｌ／Ｐ＝１の場合と、ｃｏｓα・Ｌ／Ｐ＝１．２の場合と、ｃｏｓα・Ｌ／Ｐ＝１．５の場合と、を例示している。図９のグラフから、ｃｏｓα・Ｌ／Ｐの値が１から１．２を経て１．５へと増加するに伴い、相対照度のバラツキであるリップルが抑制されていくことが分かる。
【００５３】
実施の形態３の照明装置１では、第１ＬＥＤ１８の発光面及び第２ＬＥＤ２８の発光面と画像読取媒体Ｓとの距離Ｌに前述の画像読取媒体Ｓの照射面の法線と第１光及び第２光の光軸とのなす角αの余弦を掛けたものが、実施の形態３では主走査方向に沿って、第１ＬＥＤ１８と第２ＬＥＤ２８とのＬＥＤ間配列ピッチＰの１．５倍以上であるので、図９のグラフにも示されるように、画像読取媒体Ｓに照射される主走査方向に沿った直線状の光にリップルが現れることをより一層抑制できる。
【００５４】
また、実施の形態３の照明装置１では、実施の形態２の照明装置１と比べて、第１ＬＥＤ１８及び第２ＬＥＤ２８から出射された第１光と第２光とが、より一層多く重なった状態で画像読取媒体Ｓに照射される。このため、仮に点灯に不具合が生じたＬＥＤが現れてしまった場合でも、この点灯に不具合のあるＬＥＤと対応する主走査方向の位置での相対照度の低下を抑制できる。
【００５５】
図１０は、各ＬＥＤの間に輝度のバラツキが生じた場合での、画像読取媒体Ｓにおいて照明装置１により照射された直線状の光のリップルの測定結果を示している。ここでは、ｃｏｓα・Ｌ／Ｐ＝１の場合と、ｃｏｓα・Ｌ／Ｐ＝１．２の場合と、ｃｏｓα・Ｌ／Ｐ＝１．５の場合と、を例示している。また、前述の画像読取媒体Ｓの照射面の法線と各ＬＥＤから出射される光の光軸とのなす角αは、ここでは、角度６０°である。また、ここでは、各ＬＥＤの間での輝度のバラツキは、±１０％である。図１０のグラフから、各ＬＥＤの間で輝度にバラツキがある場合には、画像読取媒体Ｓを照明する主走査方向に沿った直線状の光にリップルが現れてしまうものの、図９で示した場合と同様に、ｃｏｓα・Ｌ／Ｐの値が１から１．２を経て１．５へと増加するに伴い、相対照度のバラツキであるリップルが抑制されていくことが分かる。
【００５６】
〔実施の形態４〕
以下、実施の形態４に係る照明装置について説明する。図１１は、実施の形態４に係る照明装置の概略を側面図にて示している。なお、前述の実施の形態１〜３と同様の構成要件については、同一符号を付してその説明を省略する。
【００５７】
この実施の形態４の照明装置１は、拡散透過部材３４を備えている。拡散透過部材３４は、第１ＬＥＤ１８と第２ＬＥＤ２８とから出射された第１光と第２光とを拡散させて画像読取媒体Ｓに照射するためのものである。照明装置１は、拡散透過部材３４を、第１実装面１４ａと第２実装面２４ａとの間で、第１基板２の第１突出部１６及び第２基板６の第２突出部２６に設けている。この拡散透過部材３４は、例えば、第１突出部１６と第２突出部２６との間で、第１基板２の第１突出部１６と第２基板６の第２突出部２６とによって、挟持されている。実施の形態４では、この拡散透過部材３４によって、第１突出部１６の反射面１６ａの露出部分と第２突出部２６の反射面２６ａの露出部分とが、第１光及び第２光の出射方向において、それぞれ２つに分割されている。すなわち、拡散透過部材３４は、第１光と第２光との出射方向において、第１突出部１６の反射面１６ａ及び第２突出部２６の反射面２６ａの中間部分に設けられている。このような拡散透過部材３４は、光の透過性を有する透明部材とされている。拡散透過部材３４は、例えば、透明な樹脂の表面に微細な凹凸が形成されたものであり、この微細な凹凸によって、拡散透過部材３４を透過する第１光と第２光とが拡散される。
【００５８】
実施の形態４の照明装置１は、例えば、第１ＬＥＤ１８及び第２ＬＥＤ２８の発光面と画像読取媒体Ｓとの距離をＬとし、実施の形態４では主走査方向に沿って、第１ＬＥＤ１８と第２ＬＥＤ２８との間のＬＥＤ間配列ピッチをＰとした場合に、距離ＬとＬＥＤ間配列ピッチＰとが次の式（６）を満たしている。
Ｌ／Ｐ＜１．５  ・・・（６）
【００５９】
実施の形態４の照明装置１では、第１ＬＥＤ１８と第２ＬＥＤ２８とから出射された第１光と第２光とは、第１実装面１４ａと第２実装面２４ａとの間で第１基板２の第１突出部１６及び第２基板６の第２突出部２６、すなわち、第１基板２及び第２基板６の照明対象側に設けられている拡散透過部材３４により拡散されてから画像読取媒体Ｓに照射されるので、各ＬＥＤ、言い換えれば、第１ＬＥＤ１８と第２ＬＥＤ２８とから出射された第１光と第２光とは、出射方向、実施の形態４では主走査方向に沿って見た場合に、各ＬＥＤ、すなわち、第１ＬＥＤ１８と第２ＬＥＤ２８との配列方向に沿ってより一層拡散される。したがって、画像読取媒体Ｓを照明する直線状の光にリップルが現れることをより一層抑制できる。
【００６０】
なお、実施の形態４の照明装置１は、例えば、第１ＬＥＤ１８及び第２ＬＥＤ２８の発光面と画像読取媒体Ｓとの距離をＬとし、実施の形態４では主走査方向に沿って、第１ＬＥＤ１８と第２ＬＥＤ２８との間のＬＥＤ間配列ピッチをＰとし、画像読取媒体Ｓの第１ＬＥＤ１８と第２ＬＥＤ２８とからの第１光と第２光とが照射される照射面の法線と、第１ＬＥＤ１８と第２ＬＥＤ２８とから出射される第１光と第２光との光軸とのなす角をαとした場合に、距離Ｌと、ＬＥＤ間配列ピッチＰと、角αとが次の式（７）を満たすようにしてもよい。
Ｌ／Ｐ＜１．５／ｃｏｓα  ・・・（７）
【００６１】
式（７）を満たす照明装置１であっても、前述の実施の形態４で説明した照明装置１と同様な理由から、画像読取媒体Ｓを照明する主走査方向に沿った直線状の光にリップルが現れることをより一層抑制できる。
【００６２】
〔実施の形態５〕
以下、実施の形態５に係る照明装置について説明する。図１２は、実施の形態５に係る照明装置の特徴部分を斜視図にて示しており、図１３は、図１２の照明装置の特徴部分を断面図にて示している。なお、前述の実施の形態１〜４と同様の構成要件については、同一符号を付してその説明を省略する。
【００６３】
実施の形態５の照明装置１は、高熱伝導部材３６を備えている。高熱伝導部材３６は、第１ＬＥＤ１８や第２ＬＥＤ２８が第１光や第２光を出射することに伴い、第１基板２と第２基板６とで生じた熱を吸収するものである。高熱伝導部材３６は、第１基板２の反射面１６ａ及び第２基板６の反射面２６ａを除いた位置、すなわち、第１基板２の第１実装面１４ａ及び第２基板６の第２実装面２４ａで、第１基板２と第２基板６とを保持している。実施の形態５では、高熱伝導部材３６は、出射方向において、第１ＬＥＤ１８及び第２ＬＥＤ２８に対して第１基板２と第２基板６との画像読取媒体Ｓ側の端部とは反対側の端部に設けられている。より具体的には、高熱伝導部材３６は、第１ＬＥＤ１８及び第２ＬＥＤ２８に対して第１基板２と第２基板６との画像読取媒体Ｓ側の端部とは反対側の端部に、第１基板２と第２基板６との双方と密着して取り付けられている。またこのため、第１ＬＥＤ１８と第２ＬＥＤ２８とは、第１基板２と第２基板６を介して、高熱伝導部材３６により保持される。このような高熱伝導部材３６は、第１基板２や第２基板６と比べて、熱容量が大きなものとされている。なお、図１３において符号「３６ａ」は、高熱伝導部材３６の熱膨張を抑制するための空隙を示している。
【００６４】
実施の形態５の照明装置１では、第１基板２と第２基板６とが第１基板２の反射面１６ａ及び第２基板６の反射面２６ａを除いた位置、言い換えれば、第１基板２の第１実装面１４ａと第２基板６の第２実装面２４ａとで高熱伝導部材３６により保持されているので、画像読取媒体Ｓを照明する直線状の光にリップルが現れることを抑制する能力を維持しつつ、例えば、第１基板２と第２基板６とを平行に保って各基板、すなわち、第１基板２と第２基板６との反りを抑制したり、第１基板２と第２基板６との熱拡散や放熱の具合を改善できる。このため、例えば、前述のような第１基板２と第２基板６とで生じた熱を拡散吸収するのに十分な熱容量を高熱伝導部材３６が持つ場合には、この第１基板２と第２基板６とで生じた熱を高熱伝導部材３６だけで吸熱できる。したがって、第１基板２と第２基板６との放熱処理を不要にできる。
【００６５】
〔実施の形態６〕
以下、実施の形態６に係る照明装置について説明する。図１４は、実施の形態６に係る照明装置の特徴部分を側面図にて示している。図１４の（ａ）は、実施の形態６に係る照明装置の特徴部分の正面図であり、（ｂ）は、実施の形態６に係る照明装置の特徴部分の側面図である。なお、前述の実施の形態１〜５と同様の構成要件については、同一符号を付してその説明を省略する。
【００６６】
照明装置１では、第１基板２の基板本体１４の第１実装面１４ａは、第１ＬＥＤ１８に対応した第１実装領域を、第１ＬＥＤ１８の個数と同じ数だけ有している。第１実装領域は、第１ＬＥＤ１８と、第１ＬＥＤ１８を第１基板２に実装するための第１半田付け用パッド３８とにより構成されており、この第１実装領域は、第１基板２に１個あたりの第１ＬＥＤ１８を実装するために必要とされる領域である。第１実装領域１つあたりの複数の第１ＬＥＤ１８の配列方向に沿った長さは、１個の第１ＬＥＤ１８と、１個の第１ＬＥＤ１８を第１基板２の第１実装面１４ａに実装するための２個の第１半田付け用パッド３８とが占める領域の長さとなる。また、第２基板６の基板本体２４の第２実装面２４ａは、第２ＬＥＤ２８に対応した第２実装領域を、第２ＬＥＤ２８の個数と同じ数だけ有している。第２実装領域は、第２ＬＥＤ２８と、第２ＬＥＤ２８を第２基板６に実装するための第２半田付け用パッド４０とにより構成されており、この第２実装領域は、第２基板６に１個あたりの第２ＬＥＤ２８を実装するために必要とされる領域である。第２実装領域１つあたりの複数の第２ＬＥＤ２８の配列方向に沿った長さは、１個の第２ＬＥＤ２８と、１個の第２ＬＥＤ２８を第２基板６の第２実装面２４ａに実装するための２個の第２半田付け用パッド４０とが占める領域の長さとなる。照明装置１では、複数の第１ＬＥＤ１８の配列方向において、実施の形態６では主走査方向において、第１ＬＥＤ１８を第１基板２に実装するための第１半田付け用パッド３８を含めた、第１ＬＥＤ１８の１個あたりの第１実装領域長さをＬ１としている。さらに、照明装置１では、複数の第２ＬＥＤ２８の配列方向において、実施の形態６では主走査方向において、第２ＬＥＤ２８を第２基板６に実装するための第２半田付け用パッド４０を含めた、第２ＬＥＤ２８の１個あたりの第２実装領域長さを、第１ＬＥＤ１８と同様にＬ１としている。図１４の（ａ）に示すように、第１ＬＥＤ１８及びこの第１ＬＥＤ１８に対応する第１半田付け用パッド３８と、第２ＬＥＤ２８及びこの第２ＬＥＤ２８に対応する第２半田付け用パッド４０とを、第１基板２と第２基板６との対向方向から見ると、第１ＬＥＤ１８と第２ＬＥＤ２８とが１列に並んでいる方向、すなわち、主走査方向に沿って、第１ＬＥＤ１８及びこの第１ＬＥＤ１８に対応する第１半田付け用パッド３８と、第２ＬＥＤ２８及びこの第２ＬＥＤ２８に対応する第２半田付け用パッド４０とは、重ならずに交互に配列されている。また、図１４の（ｂ）に示すように、照明装置１を主走査方向に沿って見ると、第１ＬＥＤ１８と第２ＬＥＤ２８とが重なり合っている。すなわち、主走査方向に沿って、互いに隣り合う２個の第１ＬＥＤ１８の間に１個の第２ＬＥＤ２８が位置すると共に、互いに隣り合う２個の第２ＬＥＤ２８の間に１個の第１ＬＥＤ１８が位置しており、結果として、主走査方向に沿って、第１ＬＥＤ１８と第２ＬＥＤ２８とが１個ずつ交互に配列された状態となっている。そして、このときの第１ＬＥＤ１８と第２ＬＥＤ２８との間のＬＥＤ間配列ピッチをＰとした場合に、長さＬ１と、ＬＥＤ間配列ピッチＰとが次の式（８）を満たしている。
Ｌ１＞Ｐ  ・・・（８）
【００６７】
実施の形態６の照明装置１では、第１ＬＥＤ１８と第２ＬＥＤ２８とのＬＥＤ間配列ピッチＰが、第１半田付け用パッド３８を含めた、第１ＬＥＤ１８の１個あたりの第１実装領域長さ、及び、第２半田付け用パッド４０を含めた、第２ＬＥＤ２８の１個あたりの第２実装領域長さである長さＬ１よりも小さいので、第１ＬＥＤ１８と第２ＬＥＤ２８とを、実施の形態６では主走査方向に沿って、密に配列できる。このため、第１ＬＥＤ１８と第２ＬＥＤ２８とから照射対象である画像読取媒体Ｓに照射される第１光と第２光とにリップルが現れることを抑制した状態で、第１ＬＥＤ１８の発光面と第２ＬＥＤ２８の発光面とから照射対象である画像読取媒体Ｓまでの距離Ｌを短くできる。このとき、前述のように第１ＬＥＤ１８と第２ＬＥＤ２８とから出射された第１光と第２光との照度が向上するので、１個の第１ＬＥＤ１８や第２ＬＥＤ２８が発光するのに要する電流を小さくしても、画像読取媒体Ｓを照明するのに必要なＬＥＤの発光量を維持できる。したがって、第１ＬＥＤ１８や第２ＬＥＤ２８での発熱量を抑制でき、例えば、第１基板２や第２基板６が第１ＬＥＤ１８や第２ＬＥＤ２８で発生した熱の影響を受けることを抑制できる。
【００６８】
なお、実施の形態６では、図１４の（ａ）と（ｂ）とに示したように、第１ＬＥＤ１８及びこの第１ＬＥＤ１８に対応する第１半田付け用パッド３８と、第２ＬＥＤ２８及びこの第２ＬＥＤ２８に対応する第２半田付け用パッド４０とを、第１基板２と第２基板６との対向方向から見ると、主走査方向に沿って、第１ＬＥＤ１８及びこの第１ＬＥＤ１８に対応する第１半田付け用パッド３８と、第２ＬＥＤ２８及びこの第２ＬＥＤ２８に対応する第２半田付け用パッド４０とが、重ならずに交互に配列されており、しかも、照明装置１を主走査方向に沿って見ると、第１ＬＥＤ１８と第２ＬＥＤ２８とが重なり合って配列されているものとしたが、本発明はこれに限らない。本発明は、第１ＬＥＤ１８及びこの第１ＬＥＤ１８に対応する第１半田付け用パッド３８と、第２ＬＥＤ２８及びこの第２ＬＥＤ２８に対応する第２半田付け用パッド４０とが、例えば、図１５に示されるように配列されていてもよい。より詳しく述べると、図１５の（ａ）に示すように、第１ＬＥＤ１８及びこの第１ＬＥＤ１８に対応する第１半田付け用パッド３８と、第２ＬＥＤ２８及びこの第２ＬＥＤ２８に対応する第２半田付け用パッド４０とを、第１基板２と第２基板６との対向方向から見ると、第１ＬＥＤ１８と第２ＬＥＤ２８とが１列に並んでいる方向、すなわち、主走査方向に沿って、第１ＬＥＤ１８と第２ＬＥＤ２８とが重なることなく１個ずつ交互に配列されており、かつ、互いに隣り合う第１ＬＥＤ１８と第２ＬＥＤ２８とに関しては、主走査方向に沿って、第１半田付け用パッド３８と第２半田付け用パッド４０とが主走査方向のほぼ同じ位置で重なり合っている。また、図１５の（ｂ）に示すように、照明装置１を主走査方向に沿って見ると、第１ＬＥＤ１８と第２ＬＥＤ２８とは重ならずに配列されている。このようにして、第１ＬＥＤ１８及びこの第１ＬＥＤ１８に対応する第１半田付け用パッド３８と、第２ＬＥＤ２８及びこの第２ＬＥＤ２８に対応する第２半田付け用パッド４０とを配列しても、第１ＬＥＤ１８と第２ＬＥＤ２８とが互いに干渉し合うことがない。図１５の（ａ）と（ｂ）とに示すように、第１ＬＥＤ１８及びこの第１ＬＥＤ１８に対応する第１半田付け用パッド３８と、第２ＬＥＤ２８及びこの第２ＬＥＤ２８に対応する第２半田付け用パッド４０とを配列しても、主走査方向に沿って、互いに隣り合う２個の第１ＬＥＤ１８の間に１個の第２ＬＥＤ２８が位置すると共に、互いに隣り合う２個の第２ＬＥＤ２８の間に１個の第１ＬＥＤ１８が位置し、結果として、主走査方向に沿って、第１ＬＥＤ１８と第２ＬＥＤ２８とが１個ずつ交互に密に配列された状態となる。したがって、図１５の（ａ）と（ｂ）とに示すように、第１ＬＥＤ１８及びこの第１ＬＥＤ１８に対応する第１半田付け用パッド３８と、第２ＬＥＤ２８及びこの第２ＬＥＤ２８に対応する第２半田付け用パッド４０とを配列しても、図１４に示した照明装置１と同様な理由から、第１ＬＥＤ１８や第２ＬＥＤ２８での発熱量を抑制でき、例えば、第１基板２や第２基板６が第１ＬＥＤ１８や第２ＬＥＤ２８で発生した熱の影響を受けることを抑制できる。
【００６９】
〔実施の形態７〕
以下、実施の形態７に係る照明装置について説明する。図１６は、画像読取装置に適用された実施の形態７に係る照明装置を側面図にて示している。なお、前述の実施の形態１〜６と同様の構成要件については、同一符号を付してその説明を省略する。
【００７０】
実施の形態７の照明装置１は、シリンドリカルレンズ４２を備えている。シリンドリカルレンズ４２は、第１ＬＥＤ１８と第２ＬＥＤ２８とから出射された第１光と第２光とを集光させて画像読取媒体Ｓに照射するためのものである。実施の形態７の照明装置１は、シリンドリカルレンズ４２を、その凸曲面を画像読取媒体Ｓと対向させて、第１実装面１４ａと第２実装面２４ａとの間で一対の基板を構成する第１基板２及び第２基板６の画像読取媒体Ｓ側の端部に備えている。このシリンドリカルレンズ４２は、例えば、第１突出部１６と第２突出部２６との間で、第１基板２の第１突出部１６と第２基板６の第２突出部２６とによって、挟持されている。すなわち、シリンドリカルレンズ４２は、第１光と第２光との出射方向において、第１突出部１６の反射面１６ａ並びに第２突出部２６の反射面２６ａの画像読取媒体Ｓ側の端部を閉塞している。このようなシリンドリカルレンズ４２は、光の透過性を有する透明部材とされている。このシリンドリカルレンズ４２は、例えば、アクリルやポリカーボネート等の透明な樹脂で形成されている。
【００７１】
実施の形態７の照明装置１では、第１ＬＥＤ１８と第２ＬＥＤ２８とから出射された第１光と第２光とは、反射面１６ａ及び反射面２６ａにより第１突出部１６と第２突出部２６との間に集約され、さらに、シリンドリカルレンズ４２により集光されてから画像読取媒体Ｓに照射される。このため、画像読取媒体Ｓに照射される第１光と第２光との照度が向上する。したがって、画像読取媒体Ｓを照明する、実施の形態７では主走査方向に沿った直線状の光にリップルが現れることをより一層抑制できる。
【００７２】
なお、実施の形態１〜７では、照明装置１が画像読取装置の光源として使用されるものとして説明したが、本発明はこれに限らない。本発明は、例えば、照明装置１が液晶表示装置のバックライトとして使用されるものであってもよい。照明装置１が液晶表示装置のバックライトとして使用されるものであっても、前述の実施の形態１〜７と同様に、照明対象としての液晶パネルを照明する直線状の光にリップルが現れることを抑制できる。
【産業上の利用可能性】
【００７３】
以上のように、本発明に係る照明装置は、画像読取装置の光源や液晶表示装置のバックライトとして使用するのに有用であり、特に、小型化や低電力化が要求される画像読取装置の光源や液晶表示装置のバックライトとして使用するのに有用である。このため、本発明に係る画像読取装置は、小型化や低電力化が要求される画像読取装置として有用である。
【図面の簡単な説明】
【００７４】
【図１】実施の形態１に係る照明装置の概略を示す側面図である。
【図２】照明装置の概略を示す斜視図である。
【図３】画像読取装置に適用された照明装置を示す斜視図である。
【図４】照明装置内での第１光及び第２光の拡散と、第１ＬＥＤ及び第２ＬＥＤから出射される第１光及び第２光の光度分布と、の関係を示す図である。
【図５】実施の形態２に係る照明装置から出射される光の照度について説明するための模式図である。
【図６】照明対象において照明装置により照射された直線状の光のリップルの測定結果を示すグラフである。
【図７】各ＬＥＤの間に輝度のバラツキが生じた場合での、照明対象において照明装置により照射された直線状の光のリップルの測定結果を示すグラフである。
【図８】実施の形態３に係る照明装置の概略を示す模式図である。
【図９】照明対象において照明装置により照射された直線状の光のリップルの測定結果を示すグラフである。
【図１０】各ＬＥＤの間に輝度のバラツキが生じた場合での、照明対象において照明装置により照射された直線状の光のリップルの測定結果を示すグラフである。
【図１１】実施の形態４に係る照明装置の概略を示す照明装置の側面図である。
【図１２】実施の形態５に係る照明装置の特徴部分を示す斜視図である。
【図１３】図１２の照明装置の特徴部分を示す断面図である。
【図１４】実施の形態６に係る照明装置の特徴部分を示す正面図並びに側面図である。
【図１５】実施の形態６に係る照明装置の他の例の特徴部分を示す正面図並びに側面図である。
【図１６】実施の形態７に係る照明装置を示す側面図であり、画像読取装置に適用された場合の図である。
【符号の説明】
【００７５】
１      照明装置
２      第１基板
４      第１ＬＥＤ群
６      第２基板
８      第２ＬＥＤ群
１４ａ  第１実装面
１６    第１突出部
１６ａ  反射面
１８    第１ＬＥＤ
２４ａ  第２実装面
２６    第２突出部
２６ａ  反射面
２８    第２ＬＥＤ
３２    画像読取装置
３３    撮像手段
３４    拡散透過部材
３６    高熱伝導部材
３８    第１半田付け用パッド
４０    第２半田付け用パッド
４２    シリンドリカルレンズ
Ｌ      第１ＬＥＤ及び第２ＬＥＤと照明対象との距離
Ｌ１    半田付け用パッドを含めたＬＥＤの１個あたりの長さ
Ｐ      ＬＥＤ間配列ピッチ
Ｓ      画像読取媒体（照明対象）
α      照射面の法線とＬＥＤから出射される光の光軸とのなす角
【図１】
2009277551.tif 000003
【図２】
2009277551.tif 000004
【図３】
2009277551.tif 000005
【図４】
2009277551.tif 000006
【図５】
2009277551.tif 000007
【図６】
2009277551.tif 000008
【図７】
2009277551.tif 000009
【図８】
2009277551.tif 000010
【図９】
2009277551.tif 000011
【図１０】
2009277551.tif 000012
【図１１】
2009277551.tif 000013
【図１２】
2009277551.tif 000014
【図１３】
2009277551.tif 000015
【図１４】
2009277551.tif 000016
【図１５】
2009277551.tif 000017
【図１６】
2009277551.tif 000018